(57)【特許請求の範囲】
【請求項１】
外装ケースに対して収納位置と着脱位置との間を変位可能に設けられているとともにディスクを回転駆動する駆動機構及び光ピックアップの移動動作を行う駆動機構が組み込まれているトレイ部を備えたディスクプレーヤーのトレイ装置であり、トレイ部の一方の側に欠除部を形成し、その前方で、且つ該トレイ部に設けられているターンテーブル上にディスクを載置させた状態にあるとき該ディスクの下方に位置しない位置のコーナー部にトレイ部の収納位置におけるロック解除動作を行うロック解除手段を配置する突出部を形成するとともに他方の前方コーナー部で、且つ前記ターンテーブル上にディスクを載置させた状態にあるとき該ディスクの下方に位置しない位置に光ピックアップを駆動するモーターを配置したことを特徴とするディスクプレーヤーのトレイ装置。
【発明の詳細な説明】
【０００１】
【発明の属する技術分野】
本発明は、外装ケースに対して収納位置と着脱位置との間を変位可能に設けられているとともにディスクを回転駆動する駆動機構及び光ピックアップの移動動作を行う駆動機構が組み込まれているトレイ部を備えたディスクプレーヤーのトレイ装置に関するものである。
【０００２】
【従来の技術】
光ピックアップを用いてディスクに記録されている信号の読み取り動作を行うディスクプレーヤーが普及しているが、斯かるディスクプレーヤーは、ディスクが載置されるターンテーブルを備えている。前記ターンテーブルに載置されるディスクは、クランプと呼ばれる手段によって該ターンテーブルとともに回転するべく該ターンテーブル上に固定保持されるが、該クランプ手段として鋼球を利用したものが多く採用されている。
【０００３】
ディスクプレーヤーとしては、ＣＤプレーヤーが一般的であるが、最近では、音楽等の音声信号ではなく、コンピューターに使用されるデータ信号が記録されているＣＤ−ＲＯＭと呼ばれるディスクを再生するＣＤ−ＲＯＭプレーヤーと呼ばれるディスクプレーヤーが普及している。
【０００４】
ＣＤ−ＲＯＭプレーヤーは、パーソナルコンピューターと組み合わせて使用されるが、ノート型と呼ばれるパーソナルコンピューターでは、本体の中に組み込まれるように構成されており、斯かるＣＤ−ＲＯＭプレーヤーとしては、例えば特開平９−１８０４２１号公報に開示されたものがある。
【０００５】
【発明が解決しようとする課題】
パーソナルコンピューターに組み込まれるＣＤ−ＲＯＭプレーヤーは、小型化、特に薄型化が要求されている。そして、斯かる装置では、外装ケースに対して収納位置とディスクの着脱位置との間を変位可能に設けられているトレイ部が組み込まれており、斯かるトレイ部を収納位置にロックするロック機構及びそのロックを解除するロック解除機構が設けられている。そして、ロック機構によるロックを解除するロック解除機構が装置の薄型化を妨げるという問題があった。
【０００６】
本発明は、斯かる問題を解決したディスクプレーヤーのトレイ装置を提供しようとするものである。
【０００７】
【課題を解決するための手段】
本発明のトレイ装置は、トレイ部に設けられているターンテーブル上にディス
クを載置させた状態にあるとき該トレイ部上のディスクの下方に位置しない位置にトレイ部のロック解除動作を行うロック解除手段を配置するようにしたものである。
【０００８】
【実施例】
図１は本発明のトレイ装置の一実施例を示す要部の平面図、図２は本発明のトレイ装置を示す斜視図である。
【０００９】
図２において、１はパーソナルコンピューターの内部に組み込まれるディスクプレーヤーを構成する外装ケース、２は前記外装ケース１に対して該外装ケース内に収納された収納位置と図示したディスクの着脱位置との間を変位可能に設けられているトレイ部であり、ディスクが載置されるとともに該ディスクを回転駆動するターンテーブル３及びディスクに記録されている信号の読み出し動作を行う光ピックアップ４が組み込まれている。
【００１０】
また、前記トレイ部２の内部には前記ターンテーブル３を回転駆動するスピンドルモーター、光ピックアップ４をディスクの径方向へ移動させるモーターを含む駆動機構及びディスクプレーヤーの動作を制御する制御回路等が組み込まれている。そして、前記トレイ部２には、該トレイ部２を収納位置にロック保持するロック機構を解除するロック解除手段が組み込まれている。
【００１１】
５は前記トレイ部２の上面パネル６に形成されている透孔であり、前記光ピックアップ４から照射される光ビームをディスクの信号面に導く作用を成すものである。７は前記トレイ部２の一方の側に設けられている欠除部であり、パーソナルコンピューターに組み込んだ場合に、コンピューター側に組み込まれる回路基板等が配置されるスペースを作るために設けられている。また、８は前記欠除部７の前方に設けられている突出部であり、前記ターンテーブル３上にディスクを載置させた状態にあるとき、ディスクの下方に位置しないように形成されている。そして、斯かるトレイ部２の形状に合わせて前記外装ケース１には、欠除凹部９と膨出部１０とが設けられている。
【００１２】
図１はトレイ部２のみを示す平面図であり、一点鎖線で示す１１は、ターンテーブル３上に載置させたディスクの位置を示すものである。同図において、１２は前記光ピックアップ４をディスクの径方向へ移動させるモーターであり、トレイ部２を構成する前方の左方に位置する前方コーナー部２Ａに配置されている。１３はトレイ部２の収納位置におけるロックを解除するロック解除手段である解除用モーターであり、前記トレー部２に形成されている突出部８に配置されている。斯かる構成より明らかなようにモーター１２及び解除用モーター１３は、ディスクの下方に配置されないようにされている。
【００１４】
【発明の効果】
本発明のトレイ装置は、トレイ部の一方の側に欠除部を形成し、その前方で、且つ該トレイ部に設けられているターンテーブル上にディスクを載置させた状態にあるとき該ディスクの下方に位置しない位置のコーナー部にトレイ部の収納位置におけるロック解除動作を行うロック解除手段を配置する突出部を形成するとともに他方の前方コーナー部に光ピックアップを駆動するモーターを配置したので、前記ロック解除手段をトレイ部の底板とディスクの上面との間に配置させること、即ちディスクの厚みの部分までの空間部を利用して配置させることが出来る。従って、本発明によればロック解除機構を配置させるために使用することが出来る容積を大きくすることが出来るので、ロック解除手段としてモーターやプランジャーの駆動力の強いものを使用することが出来、その結果トレイ部のロック解除動作を確実に行うことが出来る。そして、本発明は、ディスクの下方にロック解除手段及びピックアップを駆動するモーターが配置されないようにしたので、ディスクプレーヤーの薄型化を行うことが出来る。
【００１７】
また、本発明は、トレイ部の一方の側に欠除部を形成し、その前方にロック解除手段を配置する突出部を形成するようにしたので、コンピューターに組み込む場合にコンピューター内部に組み込まれる回路基板等の配置に支障を来すことがない。
【図面の簡単な説明】
【図１】本発明のトレイ装置の一実施例を示す要部の平面図である。
【図２】本発明のトレイ装置を示す斜視図である。
【符号の説明】
１        外装ケース
２        トレイ部
３        ターンテーブル
４        光ピックアップ
７        欠除部
８        突出部
１２        モーター
１３        解除用モーター
【図１】
0003579239.tif 000002
【図２】
0003579239.tif 000003